(57)【要約】【課題】迅速に靴紐を締結することができる靴紐締結装置を提供する。【解決手段】本考案の靴紐締結装置は、ベース１、回転蓋２、連動盤３、位置規制部材４及び巻取盤５を含む。回転蓋２、連動盤３及び巻取盤５は、ベース１に回転可能に配置される。回転蓋２を正回転させると、靴紐を巻き取って靴紐を締め付けた状態にする。また、位置規制部材４により、巻取盤５が勝手に回転するのが防止される。回転蓋２を逆回転させ、連動盤３と巻取盤５との歯合状態を解除したとき、位置規制部材４による位置規制を受けないため、靴紐を引っ張ると、巻取盤５が逆方向に回転し、靴紐を開放することができる。【選択図】図１
0003165581.tif 000002
【実用新案登録請求の範囲】
【請求項１】
ベース、回転蓋、連動盤、位置規制部材及び巻取盤を含み、前記回転蓋、連動盤及び巻取盤は、前記ベースに回転可能に配置され、
前記回転蓋は、前記連動盤に同軸に対向配置され、前記回転蓋の内面側壁には、凹陥した内環溝及び位置決め端が形成され、前記内環溝には、傾斜した態様の高低端が形成され、前記位置決め端は、前記内環溝の低い方の端部と連通し、前記位置決め端の溝幅は、前記内環溝の溝幅より若干大きく、前記位置決め端と前記内環溝との間には、階段状の当接面が形成され、前記連動盤の外周には、前記内環溝に嵌合される凸リブが設けられ、
前記連動盤の底面には、位置規制歯及び第１の歯が形成され、前記位置規制歯は、前記位置規制部材と垂直に歯合され、前記第１の歯は、前記巻取盤と水平に歯合され、
前記ベースには、前記位置規制部材の底端に弾性当接されるばねが少なくとも１つ配置され、前記位置規制部材の上端には、前記位置規制歯と歯合される斜部が少なくとも１つ設けられ、前記連動盤は、位置規制部材による位置規制を受け、正方向のみに回転し、
前記巻取盤は、靴紐と接続され、前記巻取盤は、前記第１の歯と歯合される第２の歯を有し、
前記回転蓋を正回転させたとき、前記位置規制歯が順方向に前記斜部を押圧し、前記ばね及び前記位置規制歯により、前記斜部が上下に位置移動し、前記凸リブを位置決め端まで位置移動させたとき、前記凸リブの影響を受けて前記連動盤が下方に位置移動することにより、前記第１の歯と前記第２の歯とが歯合し、前記回転蓋を正回転させるのを停止したとき、前記斜部が前記位置規制歯を逆方向に位置決めすることにより、前記巻取盤及び前記連動盤が靴紐に引っ張られて逆回転するのが防止され、前記連動盤に前記位置規制部材が弾性当接されることにより、前記凸リブは、前記当接面に当接され、前記内環溝に対応しなくなり、
前記回転蓋を逆回転させたとき、前記当接面が前記凸リブを押圧することにより、前記連動盤が前記位置規制部材を下方に押圧し、前記凸リブが当接面を離脱し、前記内環溝に対応するようになり、前記凸リブが前記内環溝を移動することにより、前記連動盤は、上方に位置移動し、前記第１の歯が第２の歯から離脱し、
以上の構造により、前記第１の歯と第２の歯とを歯合状態にしたとき、前記回転蓋を正回転させると、前記巻取盤が回転して靴紐を巻き取り、靴紐を締め付けた状態にし、前記第１の歯を第２の歯から離脱させたとき、靴紐を引っ張ると、前記巻取盤が逆方向に回転し、靴紐を開放することを特徴とする靴紐締結装置。
【請求項２】
前記ベースは、第１の収納溝、第２の収納溝及び第３の収納溝を含み、前記第１の収納溝と前記第２の収納溝とは、連通し、前記巻取盤は、前記第１の収納溝に配置され、前記第２の収納溝には、中心軸が配置され、前記中心軸は、前記連動盤を貫通し、前記回転蓋に枢着され、前記第１の歯は、前記第２の収納溝に嵌入され、前記第３の収納溝は、弧形である上、前記第２の収納溝の外縁に環状に設けられ、前記ばね及び位置規制部材は、前記第３の収納溝に配置されることを特徴とする請求項１記載の靴紐締結装置。
【請求項３】
前記連動盤は、回転盤及び歯柱を含み、前記回転盤の直径は、歯柱よりも大きく、前記回転盤及び前記歯柱の中心位置は、同軸に固定され、前記第１の歯は、前記歯柱の側面に形成され、前記位置規制歯は、前記回転盤の底面に環状に形成され、前記凸リブは、前記回転盤の外縁に形成されることを特徴とする請求項１記載の靴紐締結装置。
【請求項４】
前記巻取盤は、巻取ホイール及び歯付リングを含み、前記巻取ホイールの周囲側面の中心部分には、内部に凹陥し、靴紐と接続される巻取溝が設けられ、前記巻取ホイールの上面には、環状凹凸台が形成され、前記歯付リングの内径には、前記環状凹凸台に対応して接合される環状凹凸溝が形成され、前記第２の歯は、前記歯付リングの外径に形成されることを特徴とする請求項１記載の靴紐締結装置。
【請求項５】
前記回転蓋の外周には、パッキンリングが巻設され、前記パッキンリングの表面には、滑り止めが形成されることを特徴とする請求項１記載の靴紐締結装置。
【請求項６】
前記ベースの第１の収納溝の両側には、靴紐が挿入される挿入口がそれぞれ形成されることを特徴とする請求項２記載の靴紐締結装置。
【請求項７】
前記靴紐締結装置は、前記ベースに対向接合され、前記第１の収納溝及び第２の収納溝を遮蔽する外蓋をさらに含み、前記外蓋の前記第２の収納溝に対応する部位には、前記第１の歯を前記第２の収納溝に進入させるために用いられる対応口が開設され、前記外蓋の前記第３の収納溝に対応する部位には、前記斜部を貫通して突出させるために用いられる貫通孔が少なくとも１つ設けられることを特徴とする請求項２記載の靴紐締結装置。
【考案の詳細な説明】
【技術分野】
【０００１】
本考案は、靴紐締結装置に関し、特に、回転蓋を正回転させると、靴紐を巻き取って靴紐を締め付けた状態にすることができ、回転蓋を逆回転させると、靴紐を開放して靴紐を緩んだ状態にすることができる靴紐締結装置に関する。
【背景技術】
【０００２】
通常、靴紐が使用された靴は、靴紐の両端を結ぶことにより、靴をユーザの脚部に固定する。靴紐を使用して靴をユーザの脚部に固定する方式は、長く使用されているが、使用上の経験から、以下（一）及び（二）に示す問題を有する。（一）靴紐を結ぶ部分を確保するために、相当な長さの靴紐が必要なため、仮に、結ばれた部位が解けた場合、他方の脚部で靴紐の解けた部分を踏んでしまい、転倒する虞がある。（二）靴紐の結ばれた部位は、交差した状態で靴を遮蔽するため、靴表面のデザインが乱れた状態になる虞がある。さらに、靴を履いたり脱いだりする度に、一般に、蝶々結びと称される方式で靴紐を結んだり解いたりする必要があるため、結ぶために１分ほどの時間が費やされる。即ち、靴紐を結ぶために時間が浪費されていたため、靴紐を結んだり解いたりする速度を高める装置が求められていた。
【０００３】
そのため、当業者は、上述の従来の靴紐の構造に存在する問題点に鑑み、理想的で実用性の高い新たな構造を研究開発することを努力目標としていた。
【先行技術文献】
【特許文献】
【０００４】
【特許文献１】特開２００５−１２４５９７号公報
【考案の概要】
【考案が解決しようとする課題】
【０００５】
本考案の目的は、回転蓋を正回転させると、靴紐を巻き取って靴紐を締め付けた状態にすることができ、回転蓋を逆回転させると、靴紐を開放して靴紐を緩んだ状態にすることができる靴紐締結装置を提供することにある。
【課題を解決するための手段】
【０００６】
上述の課題を解決するために、本考案の靴紐締結装置は、ベース、回転蓋、連動盤、位置規制部材及び巻取盤を含む。回転蓋、連動盤及び巻取盤は、ベースに回転可能に配置される。回転蓋は、連動盤に同軸に対向配置される。回転蓋の内面側壁には、凹陥した内環溝及び位置決め端が形成される。内環溝には、傾斜した態様の高低端が形成される。位置決め端は、内環溝の低い方の端部と連通する。位置決め端の溝幅は、内環溝の溝幅より若干大きく、位置決め端と内環溝との間には、階段状の当接面が形成される。連動盤の外周には、内環溝に嵌合される凸リブが設けられる。
【０００７】
連動盤の底面には、位置規制歯及び第１の歯が形成される。位置規制歯は、位置規制部材と垂直に歯合される。第１の歯は、巻取盤と水平に歯合される。
【０００８】
ベースには、位置規制部材の底端に弾性当接されるばねが少なくとも１つ配置される。位置規制部材の上端には、位置規制歯と歯合される斜部が少なくとも１つ設けられる。連動盤は、位置規制部材による位置規制を受け、正方向のみに回転する。
【０００９】
巻取盤は、靴紐と接続される。巻取盤は、第１の歯と歯合される第２の歯を有する。
【００１０】
回転蓋を正回転させたとき、位置規制歯が順方向に斜部を押圧し、ばね及び位置規制歯により、斜部が上下に位置移動する。また、凸リブを位置決め端まで位置移動させたとき、凸リブの影響を受けて連動盤が下方に位置移動することにより、第１の歯と第２の歯とが歯合する。回転蓋を正回転させるのを停止したとき、斜部が位置規制歯を逆方向に位置決めすることにより、巻取盤及び連動盤が靴紐に引っ張られて逆回転するのが防止される。また、連動盤に位置規制部材が弾性当接されることにより、凸リブは、当接面に当接され、内環溝に対応しなくなる。回転蓋を逆回転させたとき、当接面が凸リブを押圧することにより、連動盤が位置規制部材を下方に押圧する。これにより、凸リブが当接面を離脱し、内環溝に対応するようになり、凸リブが内環溝を移動することにより、連動盤は、上方に位置移動する。これにより、第１の歯が第２の歯から離脱する。
【００１１】
第１の歯と第２の歯とを歯合状態にしたとき、回転蓋を正回転させると、巻取盤が回転して靴紐を巻き取り、靴紐を締め付けた状態にする。また、第１の歯を第２の歯から離脱させたとき、靴紐を引っ張ると、巻取盤が逆方向に回転し、靴紐を開放する。
【００１２】
ベースは、第１の収納溝、第２の収納溝及び第３の収納溝を含む。第１の収納溝と第２の収納溝とは、連通する。巻取盤は、第１の収納溝に配置される。第２の収納溝には、中心軸が配置される。中心軸は、連動盤を貫通し、回転蓋に枢着される。第１の歯は、第２の収納溝に嵌入される。第３の収納溝は、弧形である上、第２の収納溝の外縁に環状に設けられる。ばね及び位置規制部材は、第３の収納溝に配置される。
【００１３】
連動盤は、回転盤及び歯柱を含む。回転盤の直径は、歯柱よりも大きい。回転盤及び歯柱の中心位置は、同軸に固定される。第１の歯は、歯柱の側面に形成される。位置規制歯は、回転盤の底面に環状に形成される。凸リブは、回転盤の外縁に形成される。
【００１４】
巻取盤は、巻取ホイール及び歯付リングを含む。巻取ホイールの周囲側面の中心部分には、内部に凹陥し、靴紐と接続される巻取溝が設けられる。巻取ホイールの上面には、環状凹凸台が形成される。歯付リングの内径には、環状凹凸台に対応して接合される環状凹凸溝が形成される。第２の歯は、歯付リングの外径に形成される。
【００１５】
ベースの第１の収納溝の両側には、靴紐が挿入される挿入口がそれぞれ形成される。靴紐は、挿入口からベース内部に挿入され、巻取盤と接続される。
【００１６】
靴紐締結装置は、ベースに対向接合され、第１の収納溝及び第２の収納溝を遮蔽する外蓋をさらに含む。外蓋の第２の収納溝に対応する部位には、第１の歯を第２の収納溝に進入させるために用いられる対応口が開設される。外蓋の第３の収納溝に対応する部位には、斜部を貫通して突出させるために用いられる貫通孔が少なくとも１つ設けられる。
【００１７】
回転蓋の外周には、パッキンリングが巻設される。パッキンリングの表面には、滑り止めが形成される。
【考案の効果】
【００１８】
本考案の靴紐締結装置は、回転蓋を正回転させると、靴紐を巻き取って靴紐を締め付けた状態にすることができ、回転蓋を逆回転させると、靴紐を開放して靴紐を緩んだ状態にすることができる。また、靴紐が締め付けられた状態であれ、緩められた状態であれ、靴紐の端部が靴紐締結装置内に収納されることにより、従来の紐靴と異なり、靴の表面を整頓された状態にすることができる。
【図面の簡単な説明】
【００１９】
【図１】本考案の一実施形態による靴紐締結装置を示す分解斜視図である。
【図２】本考案の一実施形態による靴紐締結装置の外蓋を示す斜視図である。
【図３】本考案の一実施形態による靴紐締結装置の回転盤を示す斜視図である。
【図４】本考案の一実施形態による靴紐締結装置の回転蓋を示す斜視図である。
【図５】本考案の一実施形態による靴紐締結装置を示す斜視図である。
【図６】本考案の一実施形態による靴紐締結装置の歯柱と歯付リングとが歯合した状態を示す透視図である。
【図７】図５の線Ａ−Ａに沿った断面図である。
【図８】図５の線Ｂ−Ｂに沿った断面図であり、歯柱と歯付リングとが歯合した状態を示す。
【図９】図５の線Ｂ−Ｂに沿った断面図であり、歯柱と歯付リングとが歯合していない状態を示す。
【考案を実施するための形態】
【００２０】
本考案は、回転蓋を正回転させると、靴紐を巻き取って靴紐を締め付けた状態にすることができ、回転蓋を逆回転させると、靴紐を開放して靴紐を緩んだ状態にすることができる靴紐締結装置を提供するものである。図１〜図５を参照する。図１〜図５に示すように、本考案の靴紐締結装置は、ベース１、回転蓋２、連動盤３、位置規制部材４及び巻取盤５を含む。回転蓋２、連動盤３及び巻取盤５は、ベース１に回転可能に配置される。
【００２１】
回転蓋２は、連動盤３に同軸に対向配置される。回転蓋２の内面側壁には、凹陥した内環溝２１及び少なくとも１つの位置決め端２２が形成される。内環溝２１には、傾斜した態様の高低端が形成される。位置決め端２２は、内環溝２１の低い方の端部と連通する。位置決め端２２の溝幅は、内環溝２１の溝幅より若干大きく、位置決め端２２と内環溝２１との間には、階段状の当接面２３が形成される。連動盤３の外周には、内環溝２１に嵌合される少なくとも１つの凸リブ３１が設けられる。また、回転蓋２の外周には、パッキンリング２４が巻設される。パッキンリング２４の表面には、滑り止め２４１が形成される。
【００２２】
連動盤３の底面には、位置規制歯３２及び第１の歯３３が形成される。位置規制歯３２は、位置規制部材４と垂直に歯合される。第１の歯３３は、巻取盤５と水平に歯合される。さらに詳しく述べると、連動盤３は、回転盤３４及び歯柱３５を含む。回転盤３４の直径は、歯柱３５よりも大きく、回転盤３４及び歯柱３５の中心位置が同軸に固定される。第１の歯３３は、歯柱３５の側面に形成される。位置規制歯３２は、回転盤３４の底面に環状に形成される。凸リブ３１は、回転盤３４の外縁に形成される。
【００２３】
ベース１には、位置規制部材４の底端に弾性当接されるばね１１が少なくとも１つ配置される。位置規制部材４の上端には、位置規制歯３２と歯合される斜部４１が少なくとも１つ設けられる。連動盤３は、位置規制部材４による位置規制を受け、正方向のみに回転する。さらに詳しく述べると、ベース１は、第１の収納溝１２、第２の収納溝１３及び第３の収納溝１４を含む。第１の収納溝１２と第２の収納溝１３とは、連通する。巻取盤５は、第１の収納溝１２に配置される。第２の収納溝１３には、中心軸１３１が配置される。中心軸１３１は、連動盤３を貫通し、回転蓋２に枢着される。また、第１の歯３３は、第２の収納溝１３に嵌入される。第３の収納溝１４は、弧形である上、第２の収納溝１３の外縁に環状に設けられる。ばね１１及び位置規制部材４は、第３の収納溝１４に配置される。また、ベース１の第１の収納溝１２の両側には、靴紐が挿入される挿入口１２１がそれぞれ形成される。靴紐は、挿入口１２１からベース１内部に挿入される上、巻取盤５と接続される。
【００２４】
巻取盤５は、靴紐と接続される。巻取盤５は、第１の歯３３と歯合される第２の歯５１を有する。さらに詳しく述べると、巻取盤５は、巻取ホイール５２及び歯付リング５３を含む。巻取ホイール５２の周囲側面の中心部分には、内部に凹陥し、靴紐と接続される巻取溝５２１が設けられる。巻取ホイール５２の上面には、環状凹凸台５２２が形成される。歯付リング５３の内径には、環状凹凸台５２２に対応して接合される環状凹凸溝５３１が形成される。第２の歯５１は、歯付リング５３の外径に形成される。
【００２５】
靴紐締結装置は、ベース１に対向接合され、第１の収納溝１２及び第２の収納溝１３を遮蔽する外蓋６をさらに含む。外蓋６の第２の収納溝１３に対応する部位には、第１の歯３３を第２の収納溝１３に進入させるために用いられる対応口６１が開設される。また、外蓋６の第３の収納溝１４に対応する部位には、斜部４１を貫通して突出させるために用いられる貫通孔６２が少なくとも１つ設けられる。外蓋６により、ベース１内部に配置された大部分の構造が遮蔽及び保護される。即ち、本考案の一実施形態による靴紐締結装置は、美観性及び構造性に優れる上、異物が侵入するのを防止することができる。
【００２６】
図６〜図９を参照する。図６〜図９に示すように、回転蓋２を正回転させたとき、位置規制歯３２が順方向に斜部４１を押圧する。このとき、斜部４１は、ばね１１及び位置規制歯３２により、上下に位置移動するため、回転蓋２を継続して回転させることができる。また、凸リブ３１を位置決め端２２まで位置移動させたとき、凸リブ３１の影響を受けて連動盤２が下方に位置移動することにより、第１の歯３３と第２の歯５１とが歯合する。回転蓋２を正回転させるのを停止したとき、斜部４１が位置規制歯３２を逆方向に位置決めすることにより、巻取盤５及び連動盤３が靴紐に引っ張られて逆回転するのを防止することができる。また、連動盤３に位置規制部材４が弾性当接されることにより、凸リブ３１は、当接面２３に当接され、内環溝２１に対応しなくなる。また、回転蓋２を逆回転させたとき、当接面２３が凸リブ３１を押圧することにより、連動盤３が位置規制部材４を下方に押圧する。これにより、凸リブ３１が当接面２３を離脱し、内環溝２１に対応するようになり、凸リブ３１が内環溝２１を移動することにより、連動盤３は、上方に位置移動し、第１の歯３３が第２の歯５１から離脱する。
【００２７】
本考案の靴紐締結装置を靴に設置したとき、第１の歯３３と第２の歯５１とを歯合状態にし、回転蓋２を正回転させることにより、巻取盤５を回転させて靴紐を巻き取って靴紐を締め付けた状態にすることができる。また、第１の歯３３を第２の歯５１から離脱させたとき、靴紐を引っ張ると、巻取盤５が逆方向に回転し、靴紐を開放することができる。
【００２８】
上述の説明から分かるように、従来の手で靴紐を結んだり解いたりする方式と比較し、本考案の靴紐締結装置は、回転蓋２を正回転又は逆回転させるだけで、靴紐を締め付けたり、緩めたりできるため、靴を履いたり脱いだりするスピードを大幅に高めることができる。また、靴紐が締結状態である上、回転蓋２を逆回転させない状態のとき、回転盤３４及び位置規制部材４により、巻取盤５が逆回転するのが規制されるため、従来の手で靴紐を結んだり解いたりする方式と異なり、靴紐が勝手に緩むことがない。また、締め付けられた靴紐は、巻取溝５２１内に収納されるため、靴の表面を整頓された状態にすることができる上、解かれた靴紐を他方の脚部で踏んでしまうという状況が発生しない。
【符号の説明】
【００２９】
１  ベース
１１  ばね
１２  第１の収納溝
１２１  挿入口
１３  第２の収納溝
１３１  中心軸
１４  第３の収納溝
２  回転蓋
２１  内環溝
２２  位置決め端
２３  当接面
２４  パッキンリング
２４１  滑り止め
３  連動盤
３１  凸リブ
３２  位置規制歯
３３  第１の歯
３４  回転盤
３５  歯柱
４  位置規制部材
４１  斜部
５  巻取盤
５１  第２の歯
５２  巻取ホイール
５２１  巻取溝
５２２  環状凹凸台
５３  歯付リング
５３１  環状凹凸溝
６  外蓋
６１  対応口
６２  貫通孔
【図１】
0003165581.tif 000003
【図２】
0003165581.tif 000004
【図３】
0003165581.tif 000005
【図４】
0003165581.tif 000006
【図５】
0003165581.tif 000007
【図６】
0003165581.tif 000008
【図７】
0003165581.tif 000009
【図８】
0003165581.tif 000010
【図９】
0003165581.tif 000011